【手続補正書】
【提出日】平成26年12月18日(2014.12.18)
【手続補正１】
【補正対象書類名】特許請求の範囲
【補正対象項目名】全文
【補正方法】変更
【補正の内容】
【特許請求の範囲】
【請求項１】
被写体像を撮像する撮像手段と、
前記撮像手段で撮像を行い得られた画像データに基づいて複数の測光ブロックごとに代表輝度値を算出する輝度値算出手段と、
前記複数の測光ブロックのそれぞれについて、前記測光ブロックに含まれる複数の小ブロックのうち出力値が所定の範囲内となる小ブロックが所定値以上存在するか否かを判定する判定手段と、
前記輝度値算出手段により算出された複数の前記代表輝度値に基づいて露光量を算出する露光量算出手段と、を有し、
前記輝度値算出手段は、前記判定手段により出力値が所定の範囲内となる小ブロックが所定値以上存在すると判定された測光ブロックについては、前記出力値が所定の範囲内となる小ブロックのみの出力値に基づいて前記代表輝度値を算出することを特徴とする撮像装置。
【請求項２】
前記複数の測光ブロックごとに重み付け係数を決定する決定手段をさらに有し、
前記決定手段は、前記判定手段により出力値が所定の範囲内となる小ブロックが所定値以上存在すると判定された測光ブロックについては、出力値の色成分が色空間上で特定色を示す範囲内である小ブロックの数または割合に応じた重み付け係数を決定し、
前記露光量算出手段は、前記輝度値算出手段により算出された複数の前記代表輝度値と前記決定手段により決定された重み付け係数とに基づいて露光量を算出すること特徴とする請求項１に記載の撮像装置。
【請求項３】
前記輝度値算出手段は、前記判定手段により出力値が所定の範囲内となる小ブロックが所定値以上存在すると判定されない測光ブロックについては、少なくとも出力値が所定の範囲内とならない小ブロックの出力値に基づいて前記代表輝度値を算出することを特徴とする請求項１または２に記載の撮像装置。
【請求項４】
前記判定手段は、出力値が所定の範囲内となる小ブロックが所定値以上存在するか否かを、出力値が所定の範囲内となる小ブロックの数が所定数以上か否かで判定することを特徴とする請求項１ないし３のいずれか１項に記載の撮像装置。
【請求項５】
前記判定手段は、出力値が所定の範囲内となる小ブロックが所定値以上存在するか否かを、出力値が所定の範囲内となる小ブロックの割合が所定割合以上か否かで判定することを特徴とする請求項１ないし３のいずれか１項に記載の撮像装置。
【請求項６】
前記決定手段は、前記判定手段により出力値が所定の範囲内となる小ブロックが所定値以上存在すると判定された測光ブロックについては、出力値の色成分が色空間上で肌色を示す範囲内である小ブロックの数または割合が小さいときよりも大きいときのほうが重み付け係数を大きくすることを特徴とする請求項２に記載の撮像装置。
【請求項７】
前記決定手段は、前記判定手段により出力値が所定の範囲内となる小ブロックが所定値以上存在すると判定された測光ブロックについては、出力値の色成分が色空間上で金屏風に対応する色を示す範囲内である小ブロックの数または割合が小さいときよりも大きいときのほうが重み付け係数を小さくすることを特徴とする請求項２に記載の撮像装置。
【請求項８】
前記輝度値算出手段は、前記判定手段により出力値が所定の範囲内となる小ブロックが所定値以上存在すると判定された測光ブロックについては、前記出力値が所定の範囲内となる小ブロックの平均輝度値を前記代表輝度値として算出することを特徴とする請求項１ないし７のいずれか１項に記載の撮像装置。
【請求項９】
前記輝度値算出手段は、前記判定手段により出力値が所定の範囲内となる小ブロックが所定値以上存在すると判定されない測光ブロックについては、含んでいる小ブロックすべての輝度平均値を前記代表輝度値として算出することを特徴とする請求項３に記載の撮像装置。
【請求項１０】
前記所定の範囲は、前記撮像手段のダイナミックレンジに対応する範囲であることを特徴とする請求項１ないし９のいずれか１項に記載の撮像装置。
【請求項１１】
撮像手段で撮像を行い得られた画像データに基づいて複数の測光ブロックごとに代表輝度値を算出する輝度値算出手段ステップと、
前記複数の測光ブロックのそれぞれについて、前記測光ブロックに含まれる複数の小ブロックのうち出力値が所定の範囲内となる小ブロックが所定値以上存在するか否かを判定する判定ステップと、
前記輝度値算出ステップにより算出された複数の前記代表輝度値に基づいて露光量を算出する露光量算出ステップと、を有し、
前記輝度値算出ステップは、前記判定ステップで出力値が所定の範囲内となる小ブロックが所定値以上存在すると判定された測光ブロックについては、前記出力値が所定の範囲内となる小ブロックのみの出力値に基づいて前記代表輝度値を算出することを特徴とする撮像装置の制御方法。
【請求項１２】
請求項１１に記載の撮像装置の制御方法の手順が記述されたコンピュータで実行可能なプログラム。
【請求項１３】
コンピュータに、請求項１１に記載の撮像装置の制御方法の各工程を実行させるためのプログラムが記憶されたコンピュータが読み取り可能な記憶媒体。
【手続補正２】
【補正対象書類名】明細書
【補正対象項目名】０００１
【補正方法】変更
【補正の内容】
【０００１】
本発明は、撮像装置の露出制御に関するものである。
【手続補正３】
【補正対象書類名】明細書
【補正対象項目名】０００９
【補正方法】変更
【補正の内容】
【０００９】
上記目的を達成するために、本発明に関わる撮像装置は、被写体像を撮像する撮像手段と、前記撮像手段で撮像を行い得られた画像データに基づいて複数の測光ブロックごとに代表輝度値を算出する輝度値算出手段と、前記複数の測光ブロックのそれぞれについて、前記測光ブロックに含まれる複数の小ブロックのうち出力値が所定の範囲内となる小ブロックが所定値以上存在するか否かを判定する判定手段と、前記輝度値算出手段により算出された複数の前記代表輝度値に基づいて露光量を算出する露光量算出手段と、を有し、前記輝度値算出手段は、前記判定手段により出力値が所定の範囲内となる小ブロックが所定値以上存在すると判定された測光ブロックについては、前記出力値が所定の範囲内となる小ブロックのみの出力値に基づいて前記代表輝度値を算出することを特徴とする。
【手続補正４】
【補正対象書類名】明細書
【補正対象項目名】００１０
【補正方法】変更
【補正の内容】
【００１０】
また、本発明に係わる撮像装置の制御方法は、撮像手段で撮像を行い得られた画像データに基づいて複数の測光ブロックごとに代表輝度値を算出する輝度値算出手段ステップと、前記複数の測光ブロックのそれぞれについて、前記測光ブロックに含まれる複数の小ブロックのうち出力値が所定の範囲内となる小ブロックが所定値以上存在するか否かを判定する判定ステップと、前記輝度値算出ステップにより算出された複数の前記代表輝度値に基づいて露光量を算出する露光量算出ステップと、を有し、前記輝度値算出ステップは、前記判定ステップで出力値が所定の範囲内となる小ブロックが所定値以上存在すると判定された測光ブロックについては、前記出力値が所定の範囲内となる小ブロックのみの出力値に基づいて前記代表輝度値を算出することを特徴とする。
【手続補正５】
【補正対象書類名】明細書
【補正対象項目名】００６７
【補正方法】変更
【補正の内容】
【００６７】
図５（ｃ）は、（３，３）ブロックを４０個のグループに細分化した例である。該グループ内の複数の色成分の画素出力全てが撮像素子１４のリニアリティ範囲（ダイナミックレンジ）に対応する所定の範囲内に入るグループを所定範囲内グループ２１０とする。図５（ｄ）は、ブロック毎に所定範囲内グループ数を算出したものである。（０，０）ブロックに示したように、背景が白つぶれしている場合には、所定範囲内グループ数は０となる。
【手続補正６】
【補正対象書類名】明細書
【補正対象項目名】００７７
【補正方法】変更
【補正の内容】
【００７７】
ステップＳ３０８では、ステップＳ３０７より算出された重み付け係数と、ステップＳ３０４、もしくはステップＳ３０６より検出したブロック毎の輝度平均値との加重平均により、特定色を最適な露出で撮影するための露光量、本発光量の目標値を算出する。
【手続補正７】
【補正対象書類名】図面
【補正対象項目名】図５
【補正方法】変更
【補正の内容】
【図５】
2013021658.tif 000001